(57)【要約】【課題】少ない部品点数で容易に組み立てることができ、かつ、優れた外観にすることができる携帯電子機器及びその組立方法を提供する。【解決手段】筒状に形成された外装ケース本体４０の上面には、シャッタボタン開口部５０が形成され、シャッタボタン部材１３０が取り付けられる。外装ケース本体４２に収容される内部フレーム６０には、スイッチ基板９４が位置決めして取り付けられ、そのスイッチ基板９４上に押下板１０４が位置決めして取り付けられる。スイッチ基板９４に取り付けられた押下板１０４は、その押し子部１１０がスイッチ９６の上に配置される。この内部フレーム６０を外装ケース本体４０に挿入すると、シャッタボタン部材１３０の下に押し子部１１０が配置され、この押し子部１１０によってシャッタボタン部材１３０が保持される。【選択図】      図８
2009139424.tif 000002
【特許請求の範囲】
【請求項１】
外装面上に操作ボタンが設けられる携帯電子機器において、
筒状に形成された外装ケース本体と、
前記外装ケース本体の両端の開口部に取り付けられるカバー部材と、
外周形状が前記外装ケース本体の内周形状にほぼ合致して形成され、前記開口部から前記外装ケース本体内に挿入されて、前記外装ケース本体内の所定位置に取り付けられる内部フレームと、
前記外装ケース本体の操作ボタン設置位置に形成されたボタン穴と、
前記内部フレームに設けられ、該内部フレームが前記外装ケース本体に取り付けられると、前記ボタン穴の下部に配置されるスイッチ基板取付部と、
押下式のスイッチが実装され、前記スイッチ基板取付部に位置決めして取り付けられるスイッチ基板と、
前記スイッチ基板に位置決めして取り付けられ、押下されることにより弾性変形して前記スイッチを押下する押下部材と、
外周部に抜け止め部が突出して形成され、前記外装ケース本体の内側から前記ボタン穴に嵌め込まれて、前記外装ケース本体に取り付けられるボタン部材と、
を備え、前記スイッチ基板と前記押下部材が取り付けられた内部フレームを前記ボタン部材が取り付けられた外装ケース本体に挿入して所定位置に取り付けると、前記押下部材の上に前記ボタン部材が配置され、該押下部材を介して前記ボタン部材で前記スイッチを押下可能になることを特徴とする携帯電子機器。
【請求項２】
外装面上に操作ボタンが設けられる携帯電子機器において、
筒状に形成された外装ケース本体と、
前記外装ケース本体の両端の開口部に取り付けられるカバー部材と、
外周形状が前記外装ケース本体の内周形状にほぼ合致して形成され、前記開口部から前記外装ケース本体内に挿入されて、前記外装ケース本体内の所定位置に取り付けられる内部フレームと、
前記外装ケース本体の操作ボタン設置位置に形成されたボタン穴と、
前記内部フレームに設けられ、該内部フレームが前記外装ケース本体に取り付けられると、前記ボタン穴の下部に配置されるスイッチ基板取付部と、
押下式のスイッチが実装され、前記スイッチ基板取付部に位置決めして取り付けられるスイッチ基板と、
前記スイッチ基板に位置決めして取り付けられ、押下されることにより弾性変形して前記スイッチを押下する押下部材と、
前記スイッチ基板と前記押下部材が取り付けられた内部フレームを前記外装ケース本体内の所定位置に取り付けた後、前記ボタン穴に嵌め込まれて、前記押下部材に固定されるボタン部材と、
を備えたことを特徴とする携帯電子機器。
【請求項３】
外装面上に操作ボタンが設けられる携帯電子機器において、
筒状に形成された外装ケース本体と、
前記外装ケース本体の両端の開口部に取り付けられるカバー部材と、
外周形状が前記外装ケース本体の内周形状にほぼ合致して形成され、前記開口部から前記外装ケース本体内に挿入されて、前記外装ケース本体内の所定位置に取り付けられる内部フレームと、
前記外装ケース本体の操作ボタン設置位置に形成されたボタン穴と、
前記内部フレームに設けられ、該内部フレームが前記外装ケース本体に取り付けられると、前記ボタン穴の下部に配置されるスイッチ基板取付部と、
押下式のスイッチが実装され、前記スイッチ基板取付部に位置決めして取り付けられるスイッチ基板と、
外周部に抜け止め部が突出して形成され、前記外装ケース本体の内側から前記ボタン穴に嵌め込まれて、前記外装ケース本体に取り付けられるボタン部材と、
を備え、前記スイッチ基板が取り付けられた内部フレームを前記ボタン部材が取り付けられた外装ケース本体に挿入して所定位置に取り付けると、前記スイッチの上に前記ボタン部材が配置されることを特徴とする携帯電子機器。
【請求項４】
前記押下部材は、
前記スイッチ基板に位置決めして取り付けられる位置決め固定部と、
基端部が前記位置決め固定部に固定されて弾性変形可能なバネ部と、
前記バネ部の先端に取り付けられ、前記スイッチを押下する押し子部と、
からなり、前記位置決め固定部を前記スイッチ基板に取り付けると、前記押し子部が前記スイッチの上に配置され、前記バネ部が弾性変形して、前記押し子部で前記スイッチを押下可能になることを特徴とする請求項１又は２に記載の携帯電子機器。
【請求項５】
前記内部フレームの挿入方向に沿って前記バネ部、前記押し子部の順で配置されることを特徴とする請求項４に記載の携帯電子機器。
【請求項６】
前記外装ケース本体内に挿入された内部フレームは、ネジによって前記外装ケース本体内の所定位置に固定され、前記外装ケース本体には、前記ネジが通される通し穴が形成される一方、前記内部フレームのスイッチ基板取付部には、前記通し穴に通されたネジが螺合されるネジ穴が形成され、前記通し穴に通されたネジは、筒状に形成されたスペーサ部材を通して前記ネジ穴に螺合されることを特徴とする請求項１〜５のいずれか一に記載の携帯電子機器。
【請求項７】
前記スペーサ部材が、前記押下部材に一体的に設けられることを特徴とする請求項６に記載の携帯電子機器。
【請求項８】
前記スペーサ部材が、可撓部材を介して前記押下部材に一体的に設けられることを特徴とする請求項７に記載の携帯電子機器。
【請求項９】
前記スペーサ部材が、前記カバー部材に一体的に設けられることを特徴とする請求項６に記載の携帯電子機器。
【請求項１０】
筒状に形成された外装ケース本体と、前記外装ケース本体の両端の開口部に取り付けられるカバー部材と、外周形状が前記外装ケース本体の内周形状にほぼ合致して形成され、前記開口部から前記外装ケース本体内に挿入されて、前記外装ケース本体内の所定位置に取り付けられる内部フレームと、前記外装ケース本体の操作ボタン設置位置に形成されたボタン穴と、前記内部フレームに設けられ、該内部フレームが前記外装ケース本体に取り付けられると、前記ボタン穴の下部に配置されるスイッチ基板取付部と、押下式のスイッチが実装され、前記スイッチ基板取付部に位置決めして取り付けられるスイッチ基板と、前記スイッチ基板に位置決めして取り付けられ、押下されることにより弾性変形して前記スイッチを押下する押下部材と、外周部に抜け止め部が突出して形成され、前記外装ケース本体の内側から前記ボタン穴に嵌め込まれて、前記外装ケース本体に取り付けられるボタン部材と、を備えた携帯電子機器の組立方法であって、
前記内部フレームに前記スイッチ基板と前記押下部材を取り付ける一方、前記ボタン穴が設けられた面を下側にして、前記外装ケース本体の内側から前記ボタン穴に前記ボタン部材を嵌め込み、前記ボタン穴が設けられた面を下側にした状態で前記内部フレームを前記外装ケース本体内に挿入して所定位置に取り付けた後、前記カバー部材を前記外装ケース本体の両端の開口部に取り付けることを特徴とする携帯電子機器の組立方法。
【発明の詳細な説明】
【技術分野】
【０００１】
本発明は携帯電子機器に係り、特に外装ケース本体が筒状に形成された携帯電子機器及びその組立方法に関する。
【背景技術】
【０００２】
デジタルカメラや携帯電話、携帯音楽プレイヤ等の携帯電子機器の外装ケースは、その組み立ての容易性等を考慮して、前ケース、後ケースというように、前後に分割できるように構成される。このように外装ケースが分割できるように構成された携帯電子機器では、通常、その操作ボタンは、内部構造体に組み付けられる。そして、その上から外装ケースが被せられることにより、外装ケースに形成されたボタン穴を通して、外装面上に露出して配置される。（たとえば、特許文献１〜３参照）。
【０００３】
一方、特許文献４、５では、機器の外装ケースを筒状に形成することが提案されている。このような筒状の外装ケースは、周囲に継ぎ目が生じないことから、優れた外観を提供することができるとともに、外装ケースの剛性も確保することができるという利点がある。
【０００４】
しかし、筒状に形成された外装ケースの場合、操作ボタンを内部構造体に取り付けた後、その上から外装ケースを被せて取り付けるということができない。このため、筒状に形成された外装ケースで操作ボタンを取り付ける場合は、操作ボタンのユニットを別ピースで構成し、この操作ボタンのユニットを外装ケースの表面に取り付けて配置しなければならない（たとえば、特許文献６参照）。
【特許文献１】特開２００６−５８８０７号公報
【特許文献２】特開平０７−２２０５７３号公報
【特許文献３】特開２０００−２１５７５４号公報
【特許文献４】特開２００６−１８５９６９号公報
【特許文献５】特開平１１−１１２１６０号公報
【特許文献６】特開平１０−１５４４４２号公報
【発明の開示】
【発明が解決しようとする課題】
【０００５】
しかしながら、操作ボタンのユニットを別ピースで構成し、別途外装ケースの表面に取り付ける構成では、部品点数が増すという欠点がある。また、継ぎ目がないという筒状に形成された外装ケースのデザインの優位性も損なわれるという欠点がある。
【０００６】
本発明は、このような事情に鑑みてなされたもので、少ない部品点数で容易に組み立てることができ、かつ、優れた外観にすることができる携帯電子機器及びその組立方法を提供することを目的とする。
【課題を解決するための手段】
【０００７】
請求項１に係る発明は、前記目的を達成するために、外装面上に操作ボタンが設けられる携帯電子機器において、筒状に形成された外装ケース本体と、前記外装ケース本体の両端の開口部に取り付けられるカバー部材と、外周形状が前記外装ケース本体の内周形状にほぼ合致して形成され、前記開口部から前記外装ケース本体内に挿入されて、前記外装ケース本体内の所定位置に取り付けられる内部フレームと、前記外装ケース本体の操作ボタン設置位置に形成されたボタン穴と、前記内部フレームに設けられ、該内部フレームが前記外装ケース本体に取り付けられると、前記ボタン穴の下部に配置されるスイッチ基板取付部と、押下式のスイッチが実装され、前記スイッチ基板取付部に位置決めして取り付けられるスイッチ基板と、前記スイッチ基板に位置決めして取り付けられ、押下されることにより弾性変形して前記スイッチを押下する押下部材と、外周部に抜け止め部が突出して形成され、前記外装ケース本体の内側から前記ボタン穴に嵌め込まれて、前記外装ケース本体に取り付けられるボタン部材と、を備え、前記スイッチ基板と前記押下部材が取り付けられた内部フレームを前記ボタン部材が取り付けられた外装ケース本体に挿入して所定位置に取り付けると、前記押下部材の上に前記ボタン部材が配置され、該押下部材を介して前記ボタン部材で前記スイッチを押下可能になることを特徴とする携帯電子機器を提供する。
【０００８】
請求項１に係る発明によれば、機器の外装は、筒状に形成された外装ケース本体と、その両端の開口部に取り付けられるカバー部材とによって構成される。操作ボタンの組み付けは、まず、内部フレームに設けられたスイッチ基板取付部にスイッチ基板を位置決めして取り付け、そのスイッチ基板に押下部材を位置決めして取り付ける。また、外装ケース本体に形成されたボタン穴に外装ケース本体の内側からボタン部材を嵌め込んで取り付ける。そして、そのボタン部材が取り付けられた外装ケース本体の内側にスイッチ基板と押下部材が取り付けられた内部フレームを挿入する。これにより、押下部材の上にボタン部材が配置され、押下部材を介してボタン部材でスイッチが押下できるように、各部材が取り付けられる。そして、このように組み付けられた操作ボタンは、別ピースとして、操作ボタンを外装ケース本体に取り付ける必要がないので、外装ケース本体の外観を損なうことがない（継ぎ目のない外観のデザイン（シームレスデザイン）とすることができる。）。また、別ピースで操作ボタンを外装ケース本体に取り付ける場合に比べて、少ない部品点数で組み付けることができる。さらに、ボタン部材が取り付けられた外装ケース本体の内側にスイッチ基板と押下部材が取り付けられた内部フレームを挿入して固定するだけなので、簡単に組み立てることができる。
【０００９】
請求項２に係る発明は、前記目的を達成するために、外装面上に操作ボタンが設けられる携帯電子機器において、筒状に形成された外装ケース本体と、前記外装ケース本体の両端の開口部に取り付けられるカバー部材と、外周形状が前記外装ケース本体の内周形状にほぼ合致して形成され、前記開口部から前記外装ケース本体内に挿入されて、前記外装ケース本体内の所定位置に取り付けられる内部フレームと、前記外装ケース本体の操作ボタン設置位置に形成されたボタン穴と、前記内部フレームに設けられ、該内部フレームが前記外装ケース本体に取り付けられると、前記ボタン穴の下部に配置されるスイッチ基板取付部と、押下式のスイッチが実装され、前記スイッチ基板取付部に位置決めして取り付けられるスイッチ基板と、前記スイッチ基板に位置決めして取り付けられ、押下されることにより弾性変形して前記スイッチを押下する押下部材と、前記スイッチ基板と前記押下部材が取り付けられた内部フレームを前記外装ケース本体内の所定位置に取り付けた後、前記ボタン穴に嵌め込まれて、前記押下部材に固定されるボタン部材と、を備えたことを特徴とする携帯電子機器を提供する。
【００１０】
請求項２に係る発明によれば、機器の外装は、筒状に形成された外装ケース本体と、その両端の開口部に取り付けられるカバー部材とによって構成される。操作ボタンの組み付けは、まず、内部フレームに設けられたスイッチ基板取付部にスイッチ基板を位置決めして取り付け、そのスイッチ基板に押下部材を位置決めして取り付ける。そして、そのスイッチ基板と押下部材が取り付けられた内部フレームを外装ケース本体の内側に挿入する。これにより、ボタン穴の下に押下部材が配置される。この後、ボタン穴にボタン部材を嵌め込み、押下部材に固定することにより、押下部材を介してボタン部材でスイッチが押下できるように、各部材が取り付けられる。このように組み付けられた操作ボタンは、別ピースとして、操作ボタンを外装ケース本体に取り付ける必要がないので、外装ケース本体の外観を損なうことがない。また、別ピースで操作ボタンを外装ケース本体に取り付ける場合に比べて、少ない部品点数で組み付けることができる。さらに、外装ケース本体の内側にスイッチ基板と押下部材が取り付けられた内部フレームを挿入して固定し、ボタン部材を取り付けるだけなので、簡単に組み立てることができる。
【００１１】
請求項３に係る発明は、前記目的を達成するために、外装面上に操作ボタンが設けられる携帯電子機器において、筒状に形成された外装ケース本体と、前記外装ケース本体の両端の開口部に取り付けられるカバー部材と、外周形状が前記外装ケース本体の内周形状にほぼ合致して形成され、前記開口部から前記外装ケース本体内に挿入されて、前記外装ケース本体内の所定位置に取り付けられる内部フレームと、前記外装ケース本体の操作ボタン設置位置に形成されたボタン穴と、前記内部フレームに設けられ、該内部フレームが前記外装ケース本体に取り付けられると、前記ボタン穴の下部に配置されるスイッチ基板取付部と、押下式のスイッチが実装され、前記スイッチ基板取付部に位置決めして取り付けられるスイッチ基板と、外周部に抜け止め部が突出して形成され、前記外装ケース本体の内側から前記ボタン穴に嵌め込まれて、前記外装ケース本体に取り付けられるボタン部材と、を備え、前記スイッチ基板が取り付けられた内部フレームを前記ボタン部材が取り付けられた外装ケース本体に挿入して所定位置に取り付けると、前記スイッチの上に前記ボタン部材が配置されることを特徴とする携帯電子機器を提供する。
【００１２】
請求項３に係る発明によれば、機器の外装は、筒状に形成された外装ケース本体と、その両端の開口部に取り付けられるカバー部材とによって構成される。操作ボタンの組み付けは、まず、内部フレームに設けられたスイッチ基板取付部にスイッチ基板を位置決めして取り付ける。また、外装ケース本体に形成されたボタン穴に外装ケース本体の内側からボタン部材を嵌め込んで取り付ける。そして、そのボタン部材が取り付けられた外装ケース本体の内側にスイッチ基板が取り付けられた内部フレームを挿入する。これにより、スイッチの上にボタン部材が配置され、ボタン部材でスイッチが押下できるように取り付けられる。このように組み付けられた操作ボタンは、別ピースとして、操作ボタンを外装ケース本体に取り付ける必要がないので、外装ケース本体の外観を損なうことがない（継ぎ目のないデザインを維持することができる。）。また、別ピースで操作ボタンを外装ケース本体に取り付ける場合に比べて、少ない部品点数で組み付けることができる。さらに、ボタン部材が取り付けられた外装ケース本体の内側にスイッチ基板が取り付けられた内部フレームを挿入して固定するだけなので、簡単に組み立てることができる。
【００１３】
請求項４に係る発明は、前記目的を達成するために、前記押下部材は、前記スイッチ基板に位置決めして取り付けられる位置決め固定部と、基端部が前記位置決め固定部に固定されて弾性変形可能なバネ部と、前記バネ部の先端に取り付けられ、前記スイッチを押下する押し子部と、からなり、前記位置決め固定部を前記スイッチ基板に取り付けると、前記押し子部が前記スイッチの上に配置され、前記バネ部が弾性変形して、前記押し子部で前記スイッチを押下可能になることを特徴とする請求項１又は２に記載の携帯電子機器を提供する。
【００１４】
請求項４に係る発明によれば、押下部材が、位置決め固定部とバネ部と押し子部とで構成され、位置決め固定部をスイッチ基板に取り付けると、押し子部がスイッチの上に配置される。そして、バネ部が弾性変形して、押し子部でスイッチを押下可能に取り付けられる。
【００１５】
請求項５に係る発明は、前記目的を達成するために、前記内部フレームの挿入方向に沿って前記バネ部、前記押し子部の順で配置されることを特徴とする請求項４に記載の携帯電子機器を提供する。
【００１６】
請求項５に係る発明によれば、内部フレームの外装ケース本体への挿入方向に沿ってバネ部、押し子部の順で配置されて、押下部材が構成される。これにより、内部フレームの挿入時に押し子部が外装ケース本体の縁部等に引っ掛かることがなく、スムーズに内部フレームを外装ケース本体に挿入することができる。
【００１７】
請求項６に係る発明は、前記目的を達成するために、前記外装ケース本体内に挿入された内部フレームは、ネジによって前記外装ケース本体内の所定位置に固定され、前記外装ケース本体には、前記ネジが通される通し穴が形成される一方、前記内部フレームのスイッチ基板取付部には、前記通し穴に通されたネジが螺合されるネジ穴が形成され、前記通し穴に通されたネジは、筒状に形成されたスペーサ部材を通して前記ネジ穴に螺合されることを特徴とする請求項１〜５のいずれか一に記載の携帯電子機器を提供する。
【００１８】
請求項６に係る発明によれば、外装ケース本体内に挿入された内部フレームが、ネジによって外装ケース本体に固定される。この際、スペーサ部材を介してネジが、内部フレームに形成されたネジ穴に螺合される。これにより、ネジの引き込みによる、内部フレームの変形を防止することができる。
【００１９】
請求項７に係る発明は、前記目的を達成するために、前記スペーサ部材が、前記押下部材に一体的に設けられることを特徴とする請求項６に記載の携帯電子機器を提供する。
【００２０】
請求項７に係る発明によれば、スペーサ部材が押下部材に一体的に設けられる。これにより、部品点数を削減することができるとともに、組み付けも容易になる。
【００２１】
請求項８に係る発明は、前記目的を達成するために、前記スペーサ部材が、可撓部材を介して前記押下部材に一体的に設けられることを特徴とする請求項７に記載の携帯電子機器を提供する。
【００２２】
請求項８に係る発明によれば、スペーサ部材が可撓部材を介して押下部材に一体的に設けられる。これにより、外装ケース本体の内側に障害物がある場合であっても、これを回避してスペーサ部材を内部フレームとともに挿入することができる。たとえば、ネジ穴と通し穴とを内部フレームの挿入方向に沿って同一直線上に配置した場合、ボタン穴に挿入されたボタン部材が、スペーサ部材の進行の障害物となるが、可撓部材を介してスペーサ部材が押下部材に取り付けられることにより、障害物を回避してスペーサ部材を挿入することができる。
【００２３】
請求項９に係る発明は、前記目的を達成するために、前記スペーサ部材が、前記カバー部材に一体的に設けられることを特徴とする請求項６に記載の携帯電子機器を提供する。
【００２４】
請求項９に係る発明によれば、スペーサ部材が、カバー部材に一体的に設けられる。これにより、部品点数を削減することができるとともに、組み付けも容易になる。
【００２５】
請求項１０に係る発明は、前記目的を達成するために、筒状に形成された外装ケース本体と、前記外装ケース本体の両端の開口部に取り付けられるカバー部材と、外周形状が前記外装ケース本体の内周形状にほぼ合致して形成され、前記開口部から前記外装ケース本体内に挿入されて、前記外装ケース本体内の所定位置に取り付けられる内部フレームと、前記外装ケース本体の操作ボタン設置位置に形成されたボタン穴と、前記内部フレームに設けられ、該内部フレームが前記外装ケース本体に取り付けられると、前記ボタン穴の下部に配置されるスイッチ基板取付部と、押下式のスイッチが実装され、前記スイッチ基板取付部に位置決めして取り付けられるスイッチ基板と、前記スイッチ基板に位置決めして取り付けられ、押下されることにより弾性変形して前記スイッチを押下する押下部材と、外周部に抜け止め部が突出して形成され、前記外装ケース本体の内側から前記ボタン穴に嵌め込まれて、前記外装ケース本体に取り付けられるボタン部材と、を備えた携帯電子機器の組立方法であって、前記内部フレームに前記スイッチ基板と前記押下部材を取り付ける一方、前記ボタン穴が設けられた面を下側にして、前記外装ケース本体の内側から前記ボタン穴に前記ボタン部材を嵌め込み、前記ボタン穴が設けられた面を下側にした状態で前記内部フレームを前記外装ケース本体内に挿入して所定位置に取り付けた後、前記カバー部材を前記外装ケース本体の両端の開口部に取り付けることを特徴とする携帯電子機器の組立方法を提供する。
【００２６】
請求項１０に係る発明では、ボタン部材を取り付ける際、外装ケース本体のボタン穴が設けられた面を下側にして、ボタン穴にボタン部材を嵌め込む。そして、そのボタン穴が設けられた面を下側にした状態で内部フレームを外装ケース本体に挿入する。これにより、作業性よく操作ボタンを簡単に組み付けることができる。
【発明の効果】
【００２７】
本発明によれば、少ない部品点数で容易に組み立てることができ、かつ、優れた外観にすることができる。
【発明を実施するための最良の形態】
【００２８】
以下、添付図面に従って本発明に係る携帯電子機器及びその組立方法の好ましい実施の形態について説明する。
【００２９】
図１、２は、それぞれ本発明が適用されたデジタルカメラの一実施形態の外観構成を示す正面斜視図と背面斜視図である。
【００３０】
同図に示すように、このデジタルカメラ１０の外装ケース１２は、薄い矩形の箱状に形成されており、その前面には、撮影レンズ１４とフラッシュ１６が設けられている。また、その上面には、シャッタボタン１８が設けられており、背面には、ディスプレイ２０と背面操作部２２が設けられている。
【００３１】
撮影レンズ１４は、いわゆる屈曲光学系によるズームレンズで構成されており、そのレンズ鏡筒の後端部にＣＣＤが組み付けられたレンズユニットとして、外装ケース１２の内部に収容配置されている。そして、その前玉レンズが外装ケース１２の前面右上端に配置されている。
【００３２】
フラッシュ１６は、キセノン管を光源として構成されており、メインコンデンサ等を含むフラッシュユニットとして、外装ケース１２の内部に収容配置されている。そして、その発光部が撮影レンズ１４に並列して配置されている。
【００３３】
シャッタボタン１８は、いわゆる半押しと全押しが可能な二段式の押下ボタンで構成されており、外装ケース１２の上面左端（正面から見て）に配置されている。デジタルカメラ１０は、このシャッタボタン１８が半押しされることにより、ＡＥ、ＡＦ処理を行い、全押しされることにより、本撮影の処理を行う。
【００３４】
ディスプレイ２０は、カラー液晶で構成されており、所定の駆動回路やバックライト等を含むディスプレイユニットとして、外装ケース１２に組み付けられている。このディスプレイ２０は、再生モード時に撮影済み画像の表示画面として使用されるほか、カメラの各種設定時にＧＵＩとして利用される。また、撮影時にはＣＣＤで撮像された画像がスルー表示されて、電子ファインダとして使用される。
【００３５】
背面操作部２２は、デジタルカメラ１０の各種操作を行うための操作部であり、テレ／ワイド方向へのズームを指示するズームボタン２４と、デジタルカメラ１０の電源をＯＮ／ＯＦＦする電源ボタン２６と、再生モードへの切り替えを指示する再生ボタン２８と、十字ボタン３０と、メニュー画面の呼び出し及び処理実行を指示するＭＥＮＵ／ＯＫボタン３２と、処理のキャンセルを指示するキャンセルボタン３４とを備えて構成される。
【００３６】
図３は、本実施の形態のデジタルカメラ１０におけるシャッタボタン１８の取付構造を示す組立展開図である。
【００３７】
同図に示すように、外装ケース１２は、矩形の筒状に形成された外装ケース本体４０と、その左右両端の開口部に取り付けられる右カバー４２、左カバー４４とで構成されている。
【００３８】
外装ケース本体４０は、金属（たとえば、アルミ合金やマグネシウム合金、ステンレス等）を押出加工することによって、左右の両端面が開口した矩形の筒状に形成されている。なお、押出加工によって形成されることから、その両端の開口面に平行な断面の形状（投影形状）は、どの位置においても同じ形状に形成される。そして、その外周は継ぎ目のない形状に形成される。
【００３９】
この外装ケース本体４０には、その前面に撮影レンズ１４の前玉が配置されるレンズ開口部４６と、フラッシュ１６が配置されるフラッシュ開口部４８が形成され、上面にシャッタボタン１８が配置されるシャッタボタン開口部５０が形成される。また、図示されていないが、背面には、ディスプレイ２０が配置されるディスプレイ開口部と、背面操作部２２が配置される背面操作部開口部が形成される。
【００４０】
右カバー４２と左カバー４４は、樹脂材によって、それぞれ矩形の板状に形成されており、その外周形状は、外装ケース本体４０の外周形状と同じ形状に形成されている。この右カバー４２と左カバー４４の内側面（外装ケース本体４０への取付面）には、それぞれ外装ケース本体４０の内周形状に対応した形状の嵌合部４２Ａ、４４Ａが突出して形成されている。右カバー４２と左カバー４４は、それぞれその嵌合部４２Ａ、４４Ａを外装ケース本体４０の両端の開口部に嵌めることにより、外装ケース本体４０に取り付けられる。
【００４１】
外装ケース１２の内側には、内部フレーム６０が収容される。図示されていないが、デジタルカメラ１０を構成する各種回路基板やレンズユニット、ディスプレイユニット、フラッシュユニット、バッテリ装着部、メモリカードスロット等の内部構成部品は、この内部フレーム６０に取り付けられて、外装ケース１２に収容される。
【００４２】
この内部フレーム６０は、ステンレス等の金属製のプレートを曲げ加工して形成されており、その外周形状は、外装ケース本体４０の内周部の形状にほぼ合致して形成されている。すなわち、ほぼ矩形の箱型の空間として形成された外装ケース本体４０の内周部の形状に対応して、背面側が開口した、ほぼ矩形の箱型に形成されている。したがって、外装ケース本体４０に収容すると、内部フレーム６０は、その外装ケース本体４０の内部でガタつくことなく収容される。
【００４３】
デジタルカメラ１０の内部構成部品は、この内部フレーム６０に取り付けられて、内部フレーム６０ごと外装ケース本体４０に収容される。この際、内部フレーム６０は、外装ケース本体４０の右側の開口部（シャッタボタン開口部５０が形成されていない方の開口部）から外装ケース本体４０内に挿入される。
【００４４】
外装ケース本体４０内に挿入された内部フレーム６０は、所定位置で外装ケース本体４０に上面二カ所と下面二カ所を内部フレーム固定ネジ６２Ｒ、６２Ｌ、６４Ｒ、６４Ｌでネジ止めされて固定される。外装ケース本体４０の上面二カ所と下面二カ所には、それぞれこの内部フレーム固定ネジ６２Ｒ、６２Ｌ、６４Ｒ、６４Ｌを通すための通し穴６６Ｒ、６６Ｌ、６８Ｒ、６８Ｌが形成されている。また、内部フレーム６０には、各通し穴６６Ｒ、６６Ｌ、６８Ｒ、６８Ｌに通された内部フレーム固定ネジ６２Ｒ、６２Ｌ、６４Ｒ、６４Ｌが螺合されるネジ穴７０Ｒ、７０Ｌ、７２Ｒ、７２Ｌが、各通し穴６６Ｒ、６６Ｌ、６８Ｒ、６８Ｌに対応して形成されている。
【００４５】
ここで、外装ケース本体４０の上面二カ所に形成される通し穴６６Ｒ、６６Ｌは、それぞれ、外装ケース本体４０の上面の左右両端部近傍に形成され、幅方向のほぼ中央位置に形成される。そして、図４に示すように、外装ケース本体４０の上面に形成されるシャッタボタン開口部５０は、この一対の通し穴６６Ｒ、６６Ｌを通る直線上に形成される。すなわち、シャッタボタン開口部５０と一対の通し穴６６Ｒ、６６Ｌは、同一直線上に形成される。これにより、デジタルカメラ１０を組み立てた際、シャッタボタン１８と内部フレーム固定ネジ６２Ｒ、６２Ｌとが同一直線上に配置され、見た目に優れた外観にすることができる。
【００４６】
外装ケース本体４０の下面二カ所に形成される通し穴６８Ｒ、６８Ｌも、同様に外装ケース本体４０の下面の左右両端部近傍に形成され、幅方向のほぼ中央位置に形成される。
【００４７】
なお、各通し穴６６Ｒ、６６Ｌ、６８Ｒ、６８Ｌは、それぞれ挿入された内部フレーム固定ネジ６２Ｒ、６２Ｌ、６４Ｒ、６４Ｌの頭部が、外装ケース本体４０の表面から突出しないように座繰りが施される。
【００４８】
外装ケース本体４０の内部に挿入された内部フレーム６０は、まず、各ネジ穴７０Ｒ、７０Ｌ、７２Ｒ、７２Ｌの位置が、外装ケース本体４０に形成された通し穴６６Ｒ、６６Ｌ、６８Ｒ、６８Ｌの位置に合わせられる。そして、各ネジ穴７０Ｒ、７０Ｌ、７２Ｒ、７２Ｌの位置が各通し穴６６Ｒ、６６Ｌ、６８Ｒ、６８Ｌの位置に合ったところで、各通し穴６６Ｒ、６６Ｌ、６８Ｒ、６８Ｌに内部フレーム固定ネジ６２Ｒ、６２Ｌ、６４Ｒ、６４Ｌが通され、各ネジ穴７０Ｒ、７０Ｌ、７２Ｒ、７２Ｌに螺合される。これにより、内部フレーム６０が、外装ケース本体４０の内周部の所定位置に位置決めされて固定される。
【００４９】
また、内部フレーム６０の右側面と左側面には、それぞれ外装ケース本体４０に取り付けられた右カバー４２と左カバー４４をカバー固定ネジ７４、７６で固定するための一対のネジ穴７８、８０が形成されている。右カバー４２と左カバー４４には、それぞれこの一対のネジ穴７８、８０に対応して一対の通し穴８２、８４が形成されている。外装ケース本体４０の開口部に取り付けられた右カバー２４と左カバー４４は、それぞれその通し穴８２、８４にカバー固定ネジ７４、７６が通され、そのカバー固定ネジ７４、７６が内部フレーム６０に形成されたネジ穴７８、８０に螺合されることにより、外装ケース本体４０に一体的に固定される。
【００５０】
内部フレーム６０の上面には、段部が形成されており、フラッシュ１６の取付部よりも左側の部分が右側の部分よりも一段下がって形成されている。この一段下げて形成された部分は、後述するように、シャッタボタン用のスイッチ基板９４の取付部として機能する（以下、この段部９０をスイッチ基板取付部９０という）。
【００５１】
内部フレーム６０は、外装ケース本体４０に取り付けられると、このスイッチ基板取付部９０が、外装ケース本体４０に形成されたシャッタボタン開口部５０の下方に位置する。そして、このスイッチ基板取付部９０が、外装ケース本体４０の内周部の天井面に対して所定の隙間（クリアランス）をもって平行に配置される（外装ケース本体４０の上面に対しても平行に配置される。）。
【００５２】
なお、内部フレーム６０を外装ケース本体４０に固定するための４つのネジ穴７０Ｒ、７０Ｌ、７２Ｒ、７２Ｌのうち内部フレーム６０の上面左隅に形成されるネジ穴７０Ｌは、このスイッチ基板取付部９０に形成される。
【００５３】
上記のように、このスイッチ基板取付部９０は、シャッタボタン用のスイッチ基板９４が取り付けられる。
【００５４】
スイッチ基板９４は、図５に示すように、スイッチ９６が実装されたＦＰＣ（Flexible Printed Circuits：フレキシブルプリント基板）を板金９８に固定して構成されている（便宜上ＦＰＣは図示せず）。
【００５５】
スイッチ９６は、二段式の押下スイッチで構成されており、半押し／全押しが可能に構成されている。
【００５６】
板金９８は、スイッチ基板取付部９０の形状に対応して形成されており、ほぼ矩形の薄板状に形成されている。この板金９８の裏面には、スイッチ基板９４をスイッチ基板取付部９０に位置決めして取り付けるための一対のスイッチ基板位置決めピン１００が突出して設けられている。図８及び図９に示すように、スイッチ基板取付部９０には、この一対のスイッチ基板位置決めピン１００に対応して一対のスイッチ基板位置決め穴１０２が形成されている。スイッチ基板９４は、この一対のスイッチ基板位置決めピン１００をスイッチ基板位置決め穴１０２に嵌め込んで、スイッチ基板取付部９０に取り付けることにより、スイッチ基板取付部９０上の所定位置に位置決めして取り付けられる。
【００５７】
スイッチ基板９４には、押下板１０４が取り付けられる。この押下板１０４は、図６に示すように、スイッチ基板９４に取り付けるための取付部１０６と、その取付部１０６の先端から延びるバネ部１０８と、バネ部１０８の先端に設けられた押し子部１１０とで構成されており、樹脂材で一体成形されている。
【００５８】
取付部１０６は、板状に形成されており、その裏面に一対の押下板位置決めピン１１２が突出して形成されている。スイッチ基板９４の板金９８には、この押下板位置決めピン１１２に対応して、一対の押下板位置決め穴１１４が形成されている（図５参照）。押下板１０４は、この取付部１０６に形成された一対の押下板位置決めピン１１２を一対の押下板位置決め穴１１４に嵌め込んで、スイッチ基板９４に取り付けることにより、スイッチ基板９４上の所定位置に位置決めされて取り付けられる。
【００５９】
また、この取付部１０６の左端面には、半円状の凹部１１６が形成されている。この凹部１１６は、後述するスペーサ１４０の保持部として機能する。
【００６０】
さらに、この取付部１０６には、押下板１０４とスイッチ基板９４を内部フレーム６０に押下板固定ネジ１１８で固定するための通し穴１２０が形成されている。図８及び図９に示すように、スイッチ基板９４の対応する位置にも同様に通し穴１２２が形成されており、スイッチ基板取付部９０には、この通し穴１２０、１２２に通された押下板固定ネジ１１８が螺合するネジ穴１２４が形成されている。スイッチ基板９４上に取り付けられた押下板１０４は、この通し穴１２０、１２２に押下板固定ネジ１１８を通し、ネジ穴１２４に螺合させることにより、スイッチ基板９４とともに内部フレーム６０に固定される。
【００６１】
バネ部１０８は、取付部１０６の右端部に垂直に立設された支柱部１０８Ａと、その支柱部１０８Ａから水平に延びる一対の腕部１０８Ｂとで構成されている。この腕部１０８Ｂは、押下板１０４を内部フレーム６０に取り付けた際、内部フレーム６０の上面の長手方向（左右方向）と平行に配設される。したがって、内部フレーム６０の外装ケース本体４０への挿入方向と平行に配設される。
【００６２】
押し子部１１０は、後述するシャッタボタン部材の外径とほぼ同径の円盤状に形成されており、バネ部１０８と平行に設けられている。この押し子部１１０の下面中央には、円柱状に形成された押し子１２６が突出して設けられており、押し子部１１０は、押下板１０４をスイッチ基板９４に取り付けると、そのスイッチ基板９４に設けられたスイッチ９６の押下点（本例の場合、スイッチ９６の中央）の上に配置される。
【００６３】
スイッチ基板９４と共に内部フレーム６０に取り付けられた押下板１０４は、その押し子部１１０を鉛直下方に押下すると、バネ部１０８が撓んで下方に変位する。この結果、スイッチ基板９４に設けられたスイッチ９６が押し子部１１０に設けられた押し子１２６に押下される。そして、押し子部１１０を押下する力を開放すると、バネ部１０８が弾性復帰して、押し子１２６によるスイッチ９６の押下が解除される。この押し子部１１０の押下は、シャッタボタン部材１３０によって行われる。
【００６４】
シャッタボタン部材１３０は、図７に示すように、円柱状に形成されたボタン部材本体１３０Ａと、そのボタン部材本体１３０Ａの下端部に外周に突出して形成されたフランジ部１３０Ｂとで形成されている。
【００６５】
ボタン部材本体１３０Ａは、外装ケース本体４０に形成されたシャッタボタン開口部５０の内周形状に対応して形成されており、その外径はシャッタボタン開口部５０の内径とほぼ同径に形成されている（図８参照）。したがって、ボタン部材本体１３０Ａを外装ケース本体４０の内側からシャッタボタン開口部５０に嵌めると、シャッタボタン部材１３０は、そのフランジ部１３０Ｂが、抜け止めとして作用して、外装ケース本体４０から抜けることなく取り付けられる。
【００６６】
以上のように構成された本実施の形態のデジタルカメラ１０における操作ボタンの組立方法は、次のとおりである。
【００６７】
図９に示すように、まず、内部フレーム６０のスイッチ基板取付部９０にスイッチ基板９４を取り付ける。この際、スイッチ基板９４は、その板金９８に形成された一対のスイッチ基板位置決めピン１００をスイッチ基板取付部９０に形成された一対のスイッチ基板位置決め穴１０２に嵌めて取り付ける。これにより、スイッチ基板９４が、スイッチ基板取付部９０上の所定位置に位置決めされて取り付けられる。
【００６８】
次に、スイッチ基板取付部９０に取り付けられたスイッチ基板９４の上に押下板１０４を取り付ける。この際、押下板１０４は、その取付部１０６に形成された一対の押下板位置決めピン１１２をスイッチ基板９４の板金９８に形成された一対の押下板位置決め穴１１４に嵌め込んで、スイッチ基板９４に取り付ける。これにより、押下板１０４が、スイッチ基板９４上の所定位置に位置決めされて取り付けられる。
【００６９】
次に、スイッチ基板取付部９０に取り付けられたスイッチ基板９４と押下板１０４を押下板固定ネジ１１８でネジ止めして内部フレーム６０に固定する。すなわち、押下板固定ネジ１１８を押下板１０４に形成された通し穴１２０に通すとともに、スイッチ基板９４に形成された通し穴１２２に通し、スイッチ基板取付部９０に形成されたネジ穴１２４に螺合させる。これにより、押下板１０４が、スイッチ基板９４とともに内部フレーム６０に固定される。
【００７０】
以上により、押下板１０４とスイッチ基板９４の取り付けが完了する。この後、内部フレーム６０には、他の内部構成部品が取り付けられる（押下板１０４とスイッチ基板９４を取り付ける前に他の内部構成部品を取り付けておくこともできる。）。
【００７１】
なお、上記の例では、スイッチ基板取付部９０にスイッチ基板９４を取り付けた後、押下板１０４をスイッチ基板９４に取り付けて、押下板固定ネジ１１８で内部フレーム６０にネジ止めして取り付けているが、押下板１０４をスイッチ基板９４に位置決めして取り付けた後、この押下板１０４とスイッチ基板９４の一体物をスイッチ基板取付部９０に位置決めして取り付け、押下板固定ネジ１１８で内部フレーム６０にネジ止めして取り付けることもできる。
【００７２】
次に、外装ケース本体４０にシャッタボタン部材１３０を取り付ける。この際、外装ケース本体４０を上下逆さまにして、シャッタボタン部材１３０を外装ケース本体４０に取り付ける。すなわち、図１０に示すように、シャッタボタン開口部５０を下側にして、外装ケース本体４０の内部にシャッタボタン部材１３０を入れ、シャッタボタン開口部５０に嵌める。
【００７３】
このようにして嵌められたシャッタボタン部材１３０は、そのボタン部材本体１３０Ａの下端部外周に突出して形成されたフランジ部１３０Ｂが、シャッタボタン開口部５０の内周縁に係止され、シャッタボタン開口部５０から抜け落ちることなく外装ケース本体４０に取り付けられる。
【００７４】
シャッタボタン部材１３０が取り付けられたら、外装ケース本体４０を逆さまにしたまま、押下板１０４とスイッチ基板９４とが取り付けられた内部フレーム６０を外装ケース本体４０に挿入する。この際、図１０に示すように、内部フレーム６０は、外装ケース本体４０と同様に上下を反転し、スイッチ基板取付部９０が形成された方の端部から外装ケース本体４０に挿入する。
【００７５】
このように挿入することにより、押下板１０４に設けられた押し子部１１０が、外装ケース本体４０の開口部の縁やシャッタボタン部材１３０等に引っ掛かることなくスムーズに挿入することができる。すなわち、押し子部１１０は、バネ部１０８に片持ち支持されているので、バネ部１０８の先端側から挿入すると、外装ケース本体４０の開口部の縁やシャッタボタン部材１３０等に接触した際、引っ掛かりが生じるが、バネ部１０８の基端部側から挿入することにより、外装ケース本体４０の開口部の縁やシャッタボタン部材１３０等に接触した場合であっても、バネ部１０８の変形によって引っ掛かりを回避することができ、スムーズに挿入することができるようになる。
【００７６】
したがって、押圧板１０４は、内部フレーム６０の挿入方向に沿ってバネ部１０８、押し子部１１０の順に配置されるように構成することが好ましい。
【００７７】
なお、このような引っ掛かりを回避してよりスムーズに挿入することができるようにするためにも、押し子部１１０は、その頭部（バネ部１０８よりも上方に突出した部分）の外周をテーパ状に形成することが好ましい。
【００７８】
以上のようにして、内部フレーム６０を外装ケース本体４０に挿入したのち、内部フレーム６０に形成されたネジ穴７０Ｒ、７０Ｌ、７２Ｒ、７２Ｌと外装ケース本体４０に形成された通し穴６６Ｒ、６６Ｌ、６８Ｒ、６８Ｌの位置とを合わせて、内部フレーム固定ネジ６２Ｒ、６２Ｌ、６４Ｒ、６４Ｌでネジ止めする。すなわち、外装ケース本体４０に形成された各通し穴６６Ｒ、６６Ｌ、６８Ｒ、６８Ｌに内部フレーム固定ネジ６２Ｒ、６２Ｌ、６４Ｒ、６４Ｌを通し、各ネジ穴７０Ｒ、７０Ｌ、７２Ｒ、７２Ｌに螺合させる。
【００７９】
ここで、外装ケース本体４０の上面の左端部に取り付けられる内部フレーム固定ネジ６２Ｌに関しては、図８に示すように、外装ケース本体４０の内周部天井面と内部フレーム６０のスイッチ基板取付部９０との間にスペーサ１４０を介して取り付けられる。
【００８０】
このスペーサ１４０は、ステンレス等の金属によって円筒状に形成され、その高さは、外装ケース本体４０の内周部天井面と内部フレーム６０のスイッチ基板取付部９０との間に形成される隙間の高さｈと同じに形成される。
【００８１】
外装ケース本体４０の通し穴６６Ｌに通された内部フレーム固定ネジ６２Ｌは、このスペーサ１４０に通されて内部フレーム６０に形成されたネジ穴７０Ｌに螺合される。これにより、内部フレーム固定ネジ６２Ｌの引き込み過ぎによる内部フレーム６０の変形を防止することができる。
【００８２】
すなわち、この内部フレーム固定ネジ６２Ｌが螺合されるネジ穴７０Ｌは、スイッチ基板取付部９０に形成され、スイッチ基板取付部９０は、外装ケース本体４０の内周部天井面から離間して配置されることから、内部フレーム固定ネジ６２Ｌを必要以上にねじ込むと、内部フレーム６０が変形してしまう。
【００８３】
一方、上記のように、スペーサ１４０を介して内部フレーム固定ネジ６２Ｌを取り付けると、スペーサ１４０が支えとなって、内部フレーム６０の変形が防止される。
【００８４】
なお、スペーサ１４０は、内部フレーム６０を外装ケース本体４０に挿入した後、押下板１０４に形成された半円状の凹部１１６に嵌めて取り付けられる。これにより、スペーサ１４０がネジ穴７０Ｌ及び通し穴６６Ｌの同軸上に配置される。
【００８５】
以上のようにして、内部フレーム６０が外装ケース本体４０に取り付けられると、図８に示すように、シャッタボタン部材１３０の真下に押下板１０４の押し子部１１０が配置される。そして、この押し子部１１０によってシャッタボタン部材１３０が保持される。すなわち、この押し子部１１０が支えとなって、シャッタボタン部材１３０が、外装ケース本体４０の上面から所定量突出して保持される。
【００８６】
なお、このように押し子部１１０がシャッタボタン部材１３０を保持することから、押し子部１１０は、内部フレーム６０が外装ケース本体４０に取り付けられた際、その上面が、ボタン開口部５０に取り付けられたシャッタボタン部材１３０の下面と同じ高さか、あるいは、若干高い位置に位置するように形成される。これにより、シャッタボタン部材１３０が、ガタツクことなく保持される。
【００８７】
この後、外装ケース本体４０の両端の開口部に右カバー４２と左カバー４４を取り付け、それぞれカバー固定ネジ７４、７６でネジ止めして固定する。
【００８８】
以上により、シャッタボタン１８を含むデジタルカメラ全体の組み立てが完了する。
【００８９】
このように組み立てられたデジタルカメラ１０は、そのシャッタボタン部材１３０を押下すると、押し子部１１０を介してシャッタボタン用のスイッチ９６が押下される。この押し子部１１０は、スイッチ９６に対して正確に位置決めされて取り付けられているため、スイッチ９６を正確かつ確実に押下して作動させることができる。
【００９０】
また、このように押し子部１１０がスイッチ９６に対して正確に位置決めされて取り付けられるため、押し子部１１０に対するシャッタボタン部材１３０の取り付けはラフで済み、加工や組み付けが容易になる。
【００９１】
また、押し子部１１０は、バネ部１０８を介して縦方向に変位可能に支持されているため、シャッタボタン部材１３０を押下した際、ユーザに対して良好な操作感を与えることができる。すなわち、確実にシャッタを押下したという感触を与えることができる。
【００９２】
そして、このように組み付けられたシャッタボタン１８は、そのシャッタボタン部材１３０のキートップのみが表面に露出するため、筒状に形成された外装ケース本体４０の外観を損なうことがなく、優れたデザインにすることができる。
【００９３】
特に本実施の形態のデジタルカメラ１０では、内部フレーム６０を外装ケース本体４０に固定するための内部フレーム固定ネジ６２Ｒ、６２Ｌが、シャッタボタン部材１３０と同一直線上に配置されるため、見た目に優れた外観にすることができる。
【００９４】
なお、上記実施の形態では、押下板１０４を介してスイッチ９６を押下する構成としているが、図１１に示すように、押下板１０４を省いた構成にすることもできる。
【００９５】
この場合、シャッタボタン部材１３０の下端下面中央に押し子部１３０Ｃを形成し、この押し子部１３０Ｃでスイッチ９６を押下する構成となる。
【００９６】
また、この場合もシャッタボタン部材１３０の取り付けは、外装ケース本体４０を上下逆さまにした状態で行い、この状態で外装ケース本体４０に内部フレーム６０を挿入して組み立てる。
【００９７】
また、上記実施の形態では、スペーサ１４０を単体で構成しているが、左カバーや押下板に一体的に形成するようにしてもよい。
【００９８】
図１２は、スペーサが一体成形された左カバーの構成を示す平面図である。また、図１３は、この左カバーを用いたシャッタボタンの取付部の構成を示す要部断面図である。
【００９９】
同図に示すように、スペーサ１４２は、左カバー４４に一体成形される。具体的には、左カバー４４の嵌合部４４Ａの上端に突起部として形成され、その突起部に縦方向に貫通する穴１４２Ａが形成されて、左カバー４４に一体的に形成される。
【０１００】
このスペーサ１４２は、左カバー４４を外装ケース本体４０に取り付けると、外装ケース本体４０の内周部天井面と内部フレーム６０のスイッチ基板取付部９０との間に差し込まれる。そして、その穴１４２Ａが、外装ケース本体４０に形成された通し穴６６Ｌと内部フレーム６０に形成されたネジ穴７０Ｌとの同軸上に位置する。
【０１０１】
この結果、外装ケース本体４０に形成された通し穴６６Ｌに内部フレーム固定ネジ６２Ｌを通すと、内部フレーム固定ネジ６２Ｌはスペーサ１４２の穴１４２Ａを通って内部フレーム６０のネジ穴７０Ｌに螺合される。
【０１０２】
このように、スペーサ１４２を左カバー４４に一体的に形成することにより、スペーサ１４２を別途取り付ける手間が省け、組み立てがより簡単になる。また、部品点数を削減することができ、製造コストを抑えることができる。
【０１０３】
図１４（ａ）、（ｂ）は、それぞれスペーサが一体成形された押下板の構成を示す平面図と側面図である。また、図１５は、この押下板を用いたシャッタボタンの取付部の構成を示す要部断面図である。
【０１０４】
同図に示すように、スペーサ１４４は、押下板１０４に一体成形される。具体的には、押下板１０４の取付部１０６の左端部中央に突起部として形成され、その突起部に縦方向に貫通する穴１４４Ａが形成されて、押下板１０４に一体的に形成される。
【０１０５】
このスペーサ１４４は、押下板１０４を内部フレーム６０に取り付けると、スイッチ基板取付部９０上に載置され、その穴１４４Ａが内部フレーム６０に形成されたネジ穴７０Ｌの同軸上に位置する。また、この押下板１０４が取り付けられた内部フレーム６０を外装ケース本体４０に挿入すると、外装ケース本体４０の内周部天井面とスイッチ基板取付部９０との間に配置される。
【０１０６】
この結果、外装ケース本体４０に形成された通し穴６６Ｌに内部フレーム固定ネジ６２Ｌを通すと、内部フレーム固定ネジ６２Ｌはスペーサ１４４の穴１４４Ａを通って内部フレーム６０のネジ穴７０Ｌに螺合される。
【０１０７】
このように、スペーサ１４４を押下板１０４に一体的に形成することにより、スペーサ１４４を別途取り付ける手間が省け、組み立てがより簡単になる。また、部品点数を削減することができ、製造コストを抑えることができる。
【０１０８】
なお、このようにスペーサ１４４を押下板１０４に一体的に形成すると、シャッタボタン部材１３０と内部フレーム固定ネジ６２Ｒ、６２Ｌを同一直線上に配置することができなくなる。すなわち、先にシャッタボタン開口部５０にシャッタボタン部材１３０を取り付けた状態で内部フレーム６０を外装ケース本体４０に挿入すると、スペーサ１４４がシャッタボタン部材１３０に当接し、内部フレーム６０の挿入を阻害する。
【０１０９】
そこで、このようにスペーサ１４４を押下板１０４に一体的に形成する場合は、図１５に示すように、内部フレーム６０を外装ケース本体４０に組み付けたあと、シャッタボタン開口部５０にシャッタボタン部材１３０を嵌め込んで、押し子部１１０の上面に接着あるいはネジ止め等して取り付ける。
【０１１０】
これにより、シャッタボタン部材１３０と内部フレーム固定ネジ６２Ｒ、６２Ｌを同一直線上に配置することができる。
【０１１１】
この場合、シャッタボタン部材１３０にフランジ部が形成されていると、シャッタボタン開口部５０に嵌め込むことができないので、シャッタボタン部材１３０は、円筒状に形成する。
【０１１２】
なお、本構成の場合、内部フレーム６０を外装ケース本体４０に挿入する際、上下を反転させる必要はない。
【０１１３】
また、上記構成以外にも、図１６に示すように、可撓部１４８を介してスペーサ１４６を押下板１０４に一体的に形成することによっても、シャッタボタン部材１３０と内部フレーム固定ネジ６２Ｒ、６２Ｌを同一直線上に配置することができる。
【０１１４】
この場合、可撓部１４８は、弾性変形可能な薄い板状に形成され、押下板１０４の取付部１０６の一端から延びて、円筒状に形成されたスペーサ１４６に連結される。
【０１１５】
このように構成された可撓部１４８は、無負荷状態において、スペーサ１４６を所定位置（押下板１０４をスイッチ基板取付部９０に取り付けた際、ネジ穴７０Ｌの同軸上に配置される位置）に保持する。そして、撓ませることにより、その取付部１０６との連結部を支点として、首振り自在に保持する。
【０１１６】
なお、以上の構成によるシャッタボタン部材の取り付けは、次のように行われる。
【０１１７】
まず、内部フレーム６０のスイッチ基板取付部９０にスイッチ基板９４と押下板１０４を取り付ける。この状態でスペーサ１４６は、スイッチ基板取付部９０に形成されたネジ穴７０Ｌの同軸上に位置する。
【０１１８】
次に、外装ケース本体４０を上下反転し、シャッタボタン開口部５０にシャッタボタン部材１３０を嵌め込んで、シャッタボタン部材１３０を取り付ける。
【０１１９】
次に、外装ケース本体４０を上下反転したまま、押下板１０４とスイッチ基板９４とが取り付けられた内部フレーム６０を外装ケース本体４０に挿入する。この際、内部フレーム６０は、外装ケース本体４０と同様に上下を反転し、スイッチ基板取付部９０が形成された方の端部から外装ケース本体４０に挿入する。
【０１２０】
外装ケース本体４０内に挿入された内部フレーム６０は、所定位置でスペーサ１４６がシャッタボタン部材１３０のフランジ部１３０Ｂに当接するので、図１７に示すように、可撓部１４８を撓ませることにより、スペーサ１４６を移動させ、シャッタボタン部材１３０との当接を回避させる。そして、スペーサ１４６がシャッタボタン部材１３０を通過したところで、撓ませていた可撓部１４８を開放する。これにより、可撓部１４８の復元力により、スペーサ１４６が元の位置に復帰する。
【０１２１】
この後、内部フレーム６０に形成されたネジ穴７０Ｒ、７０Ｌ、７２Ｒ、７２Ｌと外装ケース本体４０に形成された通し穴６６Ｒ、６６Ｌ、６８Ｒ、６８Ｌの位置とを合わせて、内部フレーム固定ネジ６２Ｒ、６２Ｌ、６４Ｒ、６４Ｌでネジ止めする。
【０１２２】
この際、外装ケース本体４０の上面の左端部に取り付けられる内部フレーム固定ネジ６２Ｌは、スペーサ１４６を介してネジ穴７０Ｌにネジ止めされる。これにより、内部フレーム固定ネジ６２Ｌの引き込み過ぎによる内部フレーム６０の変形を防止することができる。
【０１２３】
以上説明したように、本構成によっても、内部フレーム固定ネジ６２Ｒ、６２Ｌとシャッタボタン部材１３０とを同一直線上に配置することができる。
【０１２４】
なお、内部フレーム固定ネジ６２Ｒ、６２Ｌとシャッタボタン部材１３０とを同一直線上に配置することにより、優れた外観にすることができるが、内部フレーム固定ネジ６２Ｒ、６２Ｌとシャッタボタン部材１３０とは、必ずしも同一直線上に配置する必要はない。
【０１２５】
この場合、たとえば、図１８に示すように、押下板１０４に一体成形されたスペーサ１４４が、内部フレーム６０の挿入時にシャッタボタン部材１３０に接触しない位置に通し穴６６Ｌ及びネジ穴７０Ｌを配置することが好ましい。すなわち、内部フレーム６０を外装ケース本体４０に挿入する際に、外装ケース本体４０に取り付けられたシャッタボタン部材１３０のフランジ部１３０Ｂにスペーサ１４４が接触しないように、図１９に示すように、スペーサ１４４を中心から上下いずれか一方側の端部にずらして設置し、これに対応して通し穴６６Ｌとネジ穴７０Ｌを形成する。これにより、部品点数の削減を図ることができ、かつ、組み立ても容易にすることができる。
【０１２６】
なお、上記実施の形態のデジタルカメラでは、スペーサを介して内部フレーム固定ネジ６２Ｒを内部フレーム６０にネジ止めしているが、内部フレーム６０の強度が十分に確保されているような場合には、スペーサは用いる必要はない。すなわち、ネジの引き込みによる内部フレーム６０の変形等を考慮する必要がない場合には、スペーサは必ずしも用いる必要はない。
【０１２７】
また、上記実施の形態では、外装ケース本体４０の上面にシャッタボタン１８のみが配置された場合について説明したが、外装ケース本体４０の上面には、他のボタンを配置することもできる。たとえば、図２０に示すように、シャッタボタン１８と共に電源ボタン２６を外装ケース本体４０の上面に配置することもできる。
【０１２８】
なお、この場合も各ボタンは、内部フレーム固定ネジ６２Ｒ、６２Ｌを結ぶ直線上に並列して配置することが好ましい。これにより、より優れた外観にすることができる。
【０１２９】
また、この場合、電源ボタン用の押圧板とシャッタボタン用の押圧板は、図２１に示すように、一体的に形成することが好ましい。同図に示す例では、共通の取付部１０６に対してシャッタボタン用のバネ部１０８と、電源ボタン用のバネ部１５０（当該バネ部１５０は、取付部１０６の右端部に垂直に立設された支柱部１５０Ａ、その支柱部１５０Ａから水平に延びる一対の腕部１５０Ｂとで構成される。）が設けられ、各バネ部１０８、１５０の先端に押し子部１１０、１５２（押し子部１５２は、その下面中央に電源ボタン用のスイッチを押下する押し子１５４が一体成形される。）が設けられている。
【０１３０】
この押下板をスイッチ基板取付部９０に位置決めして取り付けると、シャッタボタン用の押し子部１１０が、シャッタボタン用のスイッチの上に位置決めされて配置され、電源ボタン用の押し子部１５２が、電源ボタン用のスイッチの上に位置決めされて配置される。
【０１３１】
このように、電源ボタン用の押圧板とシャッタボタン用の押圧板を一体的に形成することにより、部品点数を削減してコストを低減することができる。また、組み付けもより容易に行うことができる。
【０１３２】
また、上記実施の形態では、外装ケース本体の上面に配置されるボタン（シャッタボタン）の取付構造として、本発明を適用した場合を例に説明したが、他の箇所に配置されるボタンの取付構造としても同様に適用することができる。
【０１３３】
なお、デジタルカメラの場合は、外装ケース本体の上面に配置されるボタンに適用し、こられのボタンを左端部（右利き用のカメラの場合）に配置することにより、フラッシュの設置部の脇に形成される空間を有効に利用することができる。
【０１３４】
また、上記実施の形態のデジタルカメラの外装ケース本体は、左右の両端部が開口して形成されているが、上下の両端部を開口して形成するようにしてもよい。
【０１３５】
また、上記実施の形態では、押下板を樹脂成形しているが、バネ部が弾性変形可能に形成されていれば、金属等で形成することもできる。
【０１３６】
さらに、本発明は携帯電話や携帯音楽プレイヤ、ＰＤＡ等のカメラ以外の携帯電子機器にも同様に本発明を適用することができる。
【図面の簡単な説明】
【０１３７】
【図１】デジタルカメラの外観構成を示す正面斜視図
【図２】デジタルカメラの外観構成を示す背面斜視図
【図３】デジタルカメラの組立展開図
【図４】外装ケースの平面図
【図５】スイッチ基板の概略構成を示す平面図（ａ）と側面図（ｂ）
【図６】押下板の構成を示す平面図（ａ）と側面図（ｂ）
【図７】シャッタボタン部材の平面図（ａ）と側面図（ｂ）
【図８】シャッタボタンの取付部の概略構成を示す側面断面図
【図９】シャッタボタンの取付部の組み立て構造を示す側面断面図
【図１０】デジタルカメラの組み立て方向の説明図
【図１１】シャッタボタンの取付部の他の実施の形態の構成を示す側面断面図
【図１２】外装ケースの他の実施の形態の構成を示す平面図
【図１３】シャッタボタンの取付部の他の実施の形態の構成を示す側面断面図
【図１４】押下板の他の実施の形態の構成を示す平面図（ａ）と側面図（ｂ）
【図１５】シャッタボタンの取付部の他の実施の形態の構成を示す側面断面図
【図１６】押下板の他の実施の形態の構成を示す平面図（ａ）と側面図（ｂ）
【図１７】デジタルカメラの組立方法の説明図
【図１８】外装ケースの他の実施の形態の構成を示す平面図
【図１９】押下板の他の実施の形態の構成を示す平面図（ａ）と側面図（ｂ）
【図２０】デジタルカメラの他の実施の形態の構成を示す平面図
【図２１】押下板の他の実施の形態の構成を示す平面図（ａ）と側面図（ｂ）
【符号の説明】
【０１３８】
１０…デジタルカメラ、１２…外装ケース、１８…シャッタボタン、４０…外装ケース本体、４２…右カバー、４４…左カバー、５０…シャッタボタン開口部、６０…内部フレーム、６２Ｒ、６２Ｌ、６４Ｒ、６４Ｌ…内部フレーム固定ネジ、６６Ｒ、６６Ｌ、６８Ｒ、６８Ｌ…通し穴、７０Ｒ、７０Ｌ、７２Ｒ、７２Ｌ…ネジ穴、７４、７６…カバー固定ネジ、７８、８０…ネジ穴、８２、８４…通し穴、９０…スイッチ基板取付部、９４…スイッチ基板、９６…スイッチ、９８…板金、１００…スイッチ基板位置決めピン、１０２…スイッチ基板位置決め穴、１０４…押下板、１０６…取付部、１０８…バネ部、１１０…押し子部、１１２…押下板位置決めピン、１１４…押下板位置決め穴、１１６…凹部、１１８…押下板固定ネジ、１２０、１２２…通し穴、１２６…押し子、１３０…シャッタボタン部材、１３０Ａ…ボタン部材本体、１３０Ｂ…フランジ部、１４０、１４２、１４４、１４６…スペーサ
【図１】
2009139424.tif 000003
【図２】
2009139424.tif 000004
【図３】
2009139424.tif 000005
【図４】
2009139424.tif 000006
【図５】
2009139424.tif 000007
【図６】
2009139424.tif 000008
【図７】
2009139424.tif 000009
【図８】
2009139424.tif 000010
【図９】
2009139424.tif 000011
【図１０】
2009139424.tif 000012
【図１１】
2009139424.tif 000013
【図１２】
2009139424.tif 000014
【図１３】
2009139424.tif 000015
【図１４】
2009139424.tif 000016
【図１５】
2009139424.tif 000017
【図１６】
2009139424.tif 000018
【図１７】
2009139424.tif 000019
【図１８】
2009139424.tif 000020
【図１９】
2009139424.tif 000021
【図２０】
2009139424.tif 000022
【図２１】
2009139424.tif 000023